(57)【要約】【課題】火災時に電装品箱からのヒートシンクの落下を防ぎ、電装品箱内部に火が回り込むことを防止する空気調和機の室外機を得ること。【解決手段】略Ｌ字状で金属製のヒートシンク取付プレート１３のネジ固定穴１３ｂを有する一端部をシンク取付穴１４ａを有する方形で樹脂製の基板ホルダー１４の長方形のプレート収納部１４ｃに嵌め込むと共に他端部に設けた嵌合穴１３ａを基板ホルダーのボス穴部１４ｂに嵌合させ、その基板ホルダーを縦リレーパネル８の開口８ａに取り付けられた樹脂製のヒートシンクサポート１５に当接させ、ヒートシンク取付プレートのネジ固定穴、基板ホルダーのプレート収納部のネジ穴及びヒートシンク１２の台板１２ａのネジ穴１２ｃにネジ１７を螺合し、ヒートシンク取付プレートの嵌合穴に嵌合した基板ホルダーのボス穴部を貫通したネジ１８を縦リレーパネルにネジ止めする。【選択図】図２
2011106730.tif 000002
【特許請求の範囲】
【請求項１】
室外機の内部に配設される電装品箱は、
下部に開口を有する金属製の縦リレーパネルと、
該縦リレーパネルの開口に取り付けられた方形枠状で樹脂製のヒートシンクサポートと、
台板とその台板から突出する複数の放熱フィンとを有してなり、前記ヒートシンクサポートに嵌め付けられる金属製のヒートシンクと、
下部に前記ヒートシンクが嵌め付けられるシンク取付穴と、該シンク取付穴の近傍に長方形のプレート収納部及びボス穴部を有する方形で樹脂製の基板ホルダーと、
一方の端部にネジ固定穴を有し、他方の端部に嵌合穴を有する略Ｌ字状のヒートシンク取付プレートと、
前記ヒートシンクの台板に搭載した電装部品を当接させてネジ止めされる基板とを備えて構成され、
前記ヒートシンク取付プレートにおけるネジ固定穴を有する一方の端部を前記基板ホルダーのプレート収納部に嵌め込むと共にもう一方の端部に設けた嵌合穴を前記基板ホルダーのボス穴部に嵌合させ、
前記ヒートシンク取付プレートが取り付けられた前記基板ホルダーを前記ヒートシンクサポートに当接させ、前記ヒートシンク取付プレートのネジ固定穴、前記基板ホルダーのプレート収納部のネジ穴及び前記ヒートシンクの台板のネジ穴にネジを螺合し、該ネジにより前記ヒートシンク取付プレートを前記基板ホルダーを介して前記ヒートシンクにネジ止めし、さらに前記ヒートシンク取付プレートの嵌合穴に嵌合した前記基板ホルダーのボス穴部を貫通したネジを前記縦リレーパネルにネジ止めするようにしたことを特徴とする空気調和機の室外機。
【請求項２】
前記ヒートシンク取付プレートにおける嵌合穴を有する一方の端部とネジ固定穴を有するもう一方の端部の面は平行であるが、面の高さは異なっており、前記嵌合穴と前記ネジ固定穴とはそれぞれ異なる穴径であることを特徴とする請求項１記載の空気調和機の室外機。
【請求項３】
前記基板ホルダーのボス穴部の穴は前記リレーパネルをネジ止めするネジのネジ部に対して大きいことを特徴とする請求項１又は２記載の空気調和機の室外機。
【発明の詳細な説明】
【技術分野】
【０００１】
本発明は空気調和機の室外機、特に室外機に内蔵される電装部品内に火が侵入しないようにした安全対策に関するものである。
【背景技術】
【０００２】
従来の空気調和機は、室外機に内蔵される電装品箱の外表面に設けられたヒートシンクの脱落を防止する金属薄板の脱落防止部材はネジ止め等の固着手段によって電装品箱に固着されている。
【先行技術文献】
【特許文献】
【０００３】
【特許文献１】特開２００７−８５６４９号公報（第１頁、第３図）
【発明の概要】
【発明が解決しようとする課題】
【０００４】
従来の空気調和機では、室外機の近傍で火災が発生し、室外機に延焼した際に、樹脂製の電装品箱が溶けることで、脱落防止部材の電装品箱に対する固着がなくなり、ヒートシンクが落下するおそれがあった。
また、電装品箱からヒートシンクが落下すると、火が電装品箱の中まで回り込み、電装品箱内部の制御基板が火で直接焼かれることがある。
このように、制御基板が火で直接焼かれた場合、その後の調査において、発火源が制御基板であるか、室外機の外部であるか見分けがつかなくなり、発火源の特定ができなくなるという問題があった。
【０００５】
本発明は、上記のような課題を解決するためになされたもので、室外機の近傍で火災が発生して室外機に延焼した際に、ヒートシンクが電装品箱から落下したり、電装品側に転倒したりすることを防止し、ヒートシンクを固定位置に残すことでヒートシンクが火の延焼を防いで電装品室内に火が侵入しないようにした空気調和機の室外機を得ることを目的とする。  
【課題を解決するための手段】
【０００６】
本発明に係る空気調和機の室外機は、室外機の内部に配設される電装品箱は、下部に開口を有する金属製の縦リレーパネルと、該縦リレーパネルの開口に取り付けられた方形枠状で樹脂製のヒートシンクサポートと、台板とその台板から突出する複数の放熱フィンとを有してなり、前記ヒートシンクサポートに嵌め付けられる金属製のヒートシンクと、下部に前記ヒートシンクが嵌め付けられるシンク取付穴と、該シンク取付穴の近傍に長方形のプレート収納部及びボス穴部を有する方形で樹脂製の基板ホルダーと、一方の端部にネジ固定穴を有し、他方の端部に嵌合穴を有する略Ｌ字状のヒートシンク取付プレートと、前記ヒートシンクの台板に搭載した電装部品を当接させてネジ止めされる基板とを備えて構成され、前記ヒートシンク取付プレートにおけるネジ固定穴を有する一方の端部を前記基板ホルダーのプレート収納部に嵌め込むと共にもう一方の端部に設けた嵌合穴を前記基板ホルダーのボス穴部に嵌合させ、前記ヒートシンク取付プレートが取り付けられた前記基板ホルダーを前記ヒートシンクサポートに当接させ、前記ヒートシンク取付プレートのネジ固定穴、前記基板ホルダーのプレート収納部のネジ穴及び前記ヒートシンクの台板のネジ穴にネジを螺合し、該ネジにより前記ヒートシンク取付プレートを前記基板ホルダーを介して前記ヒートシンクにネジ止めし、さらに前記ヒートシンク取付プレートの嵌合穴に嵌合した前記基板ホルダーのボス穴部を貫通したネジを前記縦リレーパネルにネジ止めするようにしたものである。
【発明の効果】
【０００７】
本発明に係る空気調和機の室外機においては、略Ｌ字状で金属製のヒートシンク取付プレートにおけるネジ固定穴を有する一方の端部をシンク取付穴を有する方形で樹脂製の基板ホルダーの長方形のプレート収納部に嵌め込むと共にもう一方の端部に設けた嵌合穴を基板ホルダーのボス穴部に嵌合させ、ヒートシンク取付プレートが取り付けられた基板ホルダーを金属製の縦リレーパネルの開口に取り付けられた方形枠状で樹脂製のヒートシンクサポートに当接させ、ヒートシンク取付プレートのネジ固定穴、基板ホルダーのプレート収納部のネジ穴及びヒートシンクの台板のネジ穴にネジを螺合させ、該ネジによりヒートシンク取付プレートを基板ホルダーを介してヒートシンクにネジ止めし、さらにヒートシンク取付プレートの嵌合穴に嵌合した基板ホルダーのボス穴部を貫通したネジを縦リレーパネルにネジ止めするようにしたので、ヒートシンク取付プレートの一方の端部は基板ホルダーを介してヒートシンクにネジにより導通状態に固定されるが、ヒートシンク取付プレートの他方の端部は基板ホルダーのボス穴部の周囲にあり、リレーパネルやヒートシンクとは絶縁が保たれた状態で固定されることとなり、火災時において基板ホルダー、ヒートシンクサポート等の樹脂部品が溶けた場合においても、ヒートシンクはヒートシンク取付プレートで繋がってリレーパネルと固定されることとなるので、落下したり、転倒したりすることはなく、ヒートシンクが固定位置に残ることでヒートシンクが火の延焼を防いで電装品室内に火が侵入しないようにしたため、発火源が制御基板であるか、室外機の外部であるかの、発火源の特定ができる効果を有する。
【図面の簡単な説明】
【０００８】
【図１】本発明の実施の形態１に係る空気調和機の室外機で前面パネルを取り外した状態を示す斜視図。
【図２】同空気調和機の室外機の電装品箱の分解を示す斜視図。
【図３】同空気調和機の室外機のヒートシンク取付プレートを示す斜視図。
【図４】同空気調和機の室外機のリレーパネルにヒートシンクサポートを装着した状態を示す斜視図。
【図５】同空気調和機の室外機の基板ホルダーを示す斜視図。
【図６】同空気調和機の室外機の基板ホルダーへのヒートシンク取付プレートの装着前後の状態を示す斜視図。
【図７】同空気調和機の室外機のヒートシンクを取り付けた基板ホルダーへのヒートシンク取付プレートの装着前後の状態を示す斜視図。
【図８】同空気調和機の室外機のリレーパネルに基板ホルダーとヒートシンクを取り付けた状態を示す斜視図。
【図９】同空気調和機の室外機のリレーパネルに基板ホルダーとヒートシンクを取り付けた状態を示す正面図。
【図１０】図９のＹ−Ｙ線断面図。
【図１１】図１０の一部を拡大した断面図。
【図１２】図９のＺ−Ｚ線断面図。
【図１３】図１２の一部を拡大した断面図。
【図１４】同空気調和機の室外機のリレーパネルにヒートシンクを装着した状態を示す斜視図。
【図１５】図１４に示すリレーパネルにエアーガイドを装着した状態を示す斜視図。
【発明を実施するための形態】
【０００９】
実施の形態１．
図１は本発明の実施の形態１に係る空気調和機の室外機で前面パネルを取り外した状態を示す斜視図、図２は同空気調和機の室外機の電装品箱の分解を示す斜視図、図３は同空気調和機の室外機のヒートシンク取付プレートを示す斜視図、図４は同空気調和機の室外機のリレーパネルにヒートシンクサポートを装着した状態を示す斜視図である。
図１に示すように、実施の形態１に係る空気調和機の室外機は、底面部のベース１と、ベース１の上面で背面側に配置された熱交換器２と、ベース１の中央部及び左側に配設されたモータサポート３に支持されたプロペラファン４と、ベース１の右側上方に配設された電装品箱５と、ベース１の右側に立設されたセパレータ６に仕切られた右側の下半分の空間に配置された圧縮機７とを備えて構成されている。
【００１０】
ベース１の右側上方に配設された電装品箱５の縦リレーパネル８は、熱交換器２に対して斜めになっており、この縦リレーパネル８の面と平行に電装品箱５内の電装部品１０を搭載した基板１１やヒートシンク１２が配置され、ヒートシンク１２を通過する風量を確保しやすい位置となっている。また、電装品箱５の横リレーパネル９はセパレータ６の上端に支持されている。
また、ヒートシンク１２は平板状の台板１２ａと、台板１２ａの表面に突設された複数の放熱フィン１２ｂとで構成されている。
【００１１】
図２に示すように、電装品箱５は、下部に開口８ａを有する金属製の縦リレーパネル８と、縦リレーパネル８の下端に取り付けられる金属製の横リレーパネル９と、縦リレーパネル８の開口８ａに嵌め付けられる方形枠状の樹脂製ヒートシンクサポート１５と、そのヒートシンクサポート１５に嵌め付けられるヒートシンク１２と、そのヒートシンク１２に一端がネジ止め固定され、他端が長方形状の樹脂製の基板ホルダー１４に仮固定される板金のヒートシンク取付プレート１３と、縦リレーパネル８に取り付けられる基板ホルダー１４の下部に設けたシンク取付穴１４ａに嵌め付けられたヒートシンク１２の台板１２ａにネジ止めされる基板１１と、縦リレーパネル８の外面側に取り付けられ、ヒートシンク１２の放熱フィン１２ｂを覆う樹脂製のエアーガイド１６とを備えて構成されている。
【００１２】
図３に示すように、ヒートシンク取付プレート１３はＬ字状をしており、一方の端部に基板ホルダー１４のボス穴部１４ｂと嵌合する嵌合穴１３ａが設けられ、他方の端部にヒートシンク１２と固定するためのネジ固定穴１３ｂが設けられており、これら穴が設けられている２つの端部の面は平行であるが、面の高さは同一にはなっておらず、異なっている。さらに、ヒートシンク取付プレート１３の嵌合穴１３ａとネジ固定穴１３ｂとはそれぞれ異なる穴径である。これはヒートシンク取付プレート１３が基板ホルダー１４に取り付けられ易いようにしたものである。
また、ヒートシンクサポート１５にはヒートシンク取付プレート１３が収まる空間を確保するために右側上部に凸部１５ａが設けられている。
【００１３】
次に、室外機の電装品箱５の組み立て手順について説明する。
まず、縦リレーパネル８の開口８ａに方形枠状のヒートシンクサポート１５を嵌め込み、ヒートシンクサポート１５の係合爪（図示省略）を開口８ａに係止させ、縦リレーパネル８の開口８ａにヒートシンクサポート１５を取り付ける。
次に、縦リレーパネル８に取り付けたヒートシンクサポート１５にヒートシンク１２を嵌め付け、ヒートシンク１２の台板１２ａに設けた係合爪（図示省略）をヒートシンクサポート１５に係止させ、ヒートシンクサポート１５にヒートシンク１２を係合固定する（図４参照）。
【００１４】
しかる後に、図５及び図６に示すように、ヒートシンク取付プレート１３のネジ固定穴１３ｂを有する一方の端部を基板ホルダー１４のシンク取付穴１４ａの上方の右側近傍に設けた長方形のプレート収納部１４ｃに隙間１４ｄから入れて嵌め込む。このとき、ヒートシンク取付プレート１３のネジ固定穴１３ｂとプレート収納部１４ｃに形成されたネジ穴を整合させておく。
次に、図５及び図７に示すように、ヒートシンク取付プレート１３の一方の端部に設けた嵌合穴１３ａを基板ホルダー１４のボス穴部１４ｂに嵌合させる。なお、図７ではヒートシンク１２が基板ホルダー１４のシンク取付穴１４ａに嵌め付けられた状態を示しているが、この段階では、基板ホルダー１４にヒートシンク１２は取り付けられていない。
【００１５】
このように、ヒートシンク取付プレート１３が取り付けられた基板ホルダー１４をヒートシンクサポート１５に当接させる。このとき、ヒートシンクサポート１５に係合固定されているヒートシンク１２が基板ホルダー１４のシンク取付穴１４ａに嵌合し（図８参照）、さらに、ヒートシンク取付プレート１３のネジ固定穴１３ｂとプレート収納部１４ｃのネジ穴とヒートシンク１２の台板１２ａの縁部に設けたネジ穴１２ｃを整合させる。
そこで、図１０及び図１１に示すように、ヒートシンク取付プレート１３のネジ固定穴１３ｂと基板ホルダー１４のプレート収納部１４ｃのネジ穴１４ｄとヒートシンク１２の台板１２ａのネジ穴１２ｃにネジ１７を螺合させ、ヒートシンク取付プレート１３を基板ホルダー１４を介してヒートシンク１２にネジ止めする。
従って、ネジ１７によりヒートシンク取付プレート１３とヒートシンク１２の台板１２ａが基板ホルダー１４を介するが導通状態に固定される。
【００１６】
また、図１２及び図１３に示すように、ネジ１８をヒートシンク取付プレート１３の嵌合穴１３ａに嵌合した基板ホルダー１４のボス穴部１４ｂを貫通するようにして縦リレーパネル８にネジ止めする。これを縦リレーパネル８の表側から見た図が図１４である。
従って、ヒートシンク取付プレート１３は基板ホルダー１４とヒートシングサポート１５との間に挟まれた状態にあるが、基板ホルダー１４のボス穴部１４ｂの周囲にヒートシンク取付プレート１３があるため、ネジ１８は縦リレーパネル８に接触するだけで、ネジ１８とヒートシンク取付プレート１３とは絶縁された状態となる。
その後、基板ホルダー１４の周囲を４本のネジ（図示省略）で縦リレーパネル８に固定する。
さらに、基板ホルダー１４のシンク取付穴１４ａに嵌め付け固定されたヒートシンク１２の台板１２ａに基板１１に搭載した電装部品１０を当接させるように基板１１を台板１２ａにネジ止めする。
最後に、図１５に示すように、縦リレーパネル８の表側からエアーガイド１６を取り付ける。
【００１７】
以上のように、この実施の形態１では、室外機の電装品箱５の縦リレーパネル８の開口８ａに取り付けられた方形枠状のヒートシンクサポート１５に、Ｌ字状のヒートシンク取付プレート１３のネジ固定穴１３ｂを有する一方の端部を基板ホルダー１４の長方形のプレート収納部１４ｃに嵌め込み、ヒートシンク取付プレート１３のもう一方の端部に設けた嵌合穴１３ａを基板ホルダー１４のボス穴部１４ｂに嵌合させ、ヒートシンク取付プレート１３が取り付けられた基板ホルダー１４をヒートシンクサポート１５に当接させ、ヒートシンク取付プレート１３のネジ固定穴１３ｂ、基板ホルダー１４のプレート収納部１４ｃのネジ穴及びヒートシンク１２の台板１２ａのネジ穴１２ｃにネジ１７を螺合させ、ヒートシンク取付プレート１３を基板ホルダー１４を介してヒートシンク１２にネジ止めし、さらにヒートシンク取付プレート１３の嵌合穴１３ａに嵌合した基板ホルダー１４のボス穴部１４ｂを貫通したネジ１８を縦リレーパネル８にネジ止めするようにしたので、ヒートシンク取付プレート１３の一方の端部は基板ホルダー１４を介したヒートシンク１２にネジ１７により導通状態に固定されるが、ヒートシンク取付プレート１３の他方の端部は基板ホルダー１４のボス穴部１４ｂの周囲にあり、リレーパネル８やヒートシンク１２とは絶縁が保たれた状態で固定されることとなり、火災時において基板ホルダー１４、ヒートシンクサポート１５及びエアーガイド１６等の樹脂部品が溶けた場合においても、ヒートシンク１２はヒートシンク取付プレート１３で繋がって縦リレーパネル８と固定されることとなり、落下したり、転倒したりすることはない。
この場合、基板ホルダー１４、ヒートシンクサポート１５が溶けるため、基板ホルダー１４とヒートシンクサポート１５の肉厚分のガタでヒートシンク１２が傾くだけで、落下することはない。
【符号の説明】
【００１８】
１  ベース、２  熱交換器、３  モータサポート、４  プロペラファン、５  電装品箱、６  セパレータ、７  圧縮機、８  縦リレーパネル、８ａ  開口、９  横リレーパネル、１０  電装部品、１１  基板、１２  ヒートシンク、１２ａ  台板、１２ｂ  放熱フィン、１３  ヒートシンク取付プレート、１３ａ  嵌合穴、１３ｂ  ネジ固定穴、１４  基板ホルダー、１４ａ  シンク取付穴、１４ｂ  ボス穴部、１４ｃ  プレート収納部、１５  ヒートシンクサポート、１５ａ  凸部、１６  エアーガイド、１７  ネジ、１８  ネジ、１９  ブッシュ。
【図１】
2011106730.tif 000003
【図２】
2011106730.tif 000004
【図３】
2011106730.tif 000005
【図４】
2011106730.tif 000006
【図５】
2011106730.tif 000007
【図６】
2011106730.tif 000008
【図７】
2011106730.tif 000009
【図８】
2011106730.tif 000010
【図９】
2011106730.tif 000011
【図１０】
2011106730.tif 000012
【図１１】
2011106730.tif 000013
【図１２】
2011106730.tif 000014
【図１３】
2011106730.tif 000015
【図１４】
2011106730.tif 000016
【図１５】
2011106730.tif 000017